(57)【要約】【課題】連続表示に適した複数の画像を自動的かつ連続的に表示することが可能な表示装置、電子機器等を提供すること。【解決手段】電子機器の一種であるプリンタ１０に含まれる表示装置１００が、複数の画像データを対象として、前記複数の画像データのうちの少なくとも１つの他の画像データとの差異が第１のしきい値未満の画像データを対象データ１３４として決定する対象データ決定部１４０と、対象データ１３４に基づく各画像を連続的に表示する表示部１５０を含んで構成される。【選択図】図１
2009188494.tif 000002
【特許請求の範囲】
【請求項１】
複数の画像データを対象として、前記複数の画像データのうちの少なくとも１つの他の画像データとの差異が第１のしきい値未満の画像データを対象データとして決定する対象データ決定部と、
前記対象データに基づく各画像を連続的に表示する表示部と、
を含むことを特徴とする表示装置。
【請求項２】
請求項１に記載の表示装置において、
前記表示部は、前記対象データに基づく各画像の表示間隔を、前記複数の画像データのうちの前記対象データ以外の画像データに基づく各画像の表示間隔と比較して相対的に短縮して前記対象データに基づく各画像および前記対象データ以外の画像データに基づく各画像を連続的に表示する表示装置。
【請求項３】
請求項１、２のいずれかに記載の表示装置において、
前記対象データ決定部は、前記差異が第２のしきい値（ただし、第２のしきい値は前記第１のしきい値未満）未満である場合、当該画像データを前記対象データとして決定しないことを特徴とする表示装置。
【請求項４】
請求項１〜３のいずれかに記載の表示装置において、
前記複数の画像データは撮像データであることを特徴とする表示装置。
【請求項５】
請求項４に記載の表示装置において、
前記複数の画像データは、撮像順序を示す撮像順序データを含み、
前記対象データ決定部は、前記撮像順序データに基づき、前記対象データの表示順序を決定し、
前記表示部は、前記対象データ決定部によって決定された表示順序に応じて各画像を連続的に表示することを特徴とする表示装置。
【請求項６】
請求項５に記載の表示装置において、
前記対象データ決定部は、前記撮像順序データに基づき、前記複数の画像データのうちの前記撮像順序が前後の関係にある２つの画像データの差異を判定することにより、前記対象データを決定することを特徴とする表示装置。
【請求項７】
請求項４〜６のいずれかに記載の表示装置において、
前記複数の画像データは、撮像モードを示す撮像モードデータを含み、
前記対象データ決定部は、前記撮像モードデータに基づき、前記撮像モードが同一の画像データを前記対象データとして決定することを特徴とする表示装置。
【請求項８】
請求項１〜７のいずれかに記載の表示装置を含む電子機器。
【請求項９】
表示部を有するコンピュータを、
複数の画像データを対象として、前記複数の画像データのうちの少なくとも１つの他の画像データとの差異が第１のしきい値未満の画像データを対象データとして決定する対象データ決定部と、
前記表示部に対し、前記対象データに基づく各画像を連続的に表示させる制御を行う表示制御部として機能させることを特徴とするプログラム。
【発明の詳細な説明】
【技術分野】
【０００１】
本発明は、いわゆるスライドショー形式で画像を表示可能な表示装置、電子機器およびプログラムに関する。
【背景技術】
【０００２】
フォトビューワ等の表示機能を有する電子機器は、いわゆるスライドショー形式で複数の画像を連続的に表示する機能を有している場合がある。このような機能を有する電子機器では、スライドショー形式で画像を表示する場合、ユーザが表示対象を選択して表示する手法が一般的である。また、特開２００６−４１５８６号公報では、デジタルデータの作成日時の差分を抽出し、抽出した作成日時から連続して撮影されたデジタルデータを判定し、当該連続して撮影されたデジタルデータを、抽出した作成日時の差分を表示時間として、スライドショー形式で画像を表示する手法が記載されている。
【特許文献１】特開２００６−４１５８６号公報
【発明の開示】
【発明が解決しようとする課題】
【０００３】
しかし、ユーザが表示対象を選択して表示する手法の場合、表示対象の画像と、表示対象外の画像が混在している状況では、ユーザが表示対象の画像を選択するには多大な手間がかかる。また、画像データの作成日時に基づいて表示対象かどうかを判定する手法の場合、内容的には似ていても作成日時が異なる複数の画像データを連続的に表示することはできない。
【０００４】
本発明の目的は、連続表示に適した複数の画像を自動的かつ連続的に表示することが可能な表示装置、電子機器およびプログラムを提供することにある。
【課題を解決するための手段】
【０００５】
上記課題を解決するため、本発明に係る表示装置は、複数の画像データを対象として、前記複数の画像データのうちの少なくとも１つの他の画像データとの差異が第１のしきい値未満の画像データを対象データとして決定する対象データ決定部と、前記対象データに基づく各画像を連続的に表示する表示部と、を含むことを特徴とする。
【０００６】
また、本発明に係る電子機器は、上記表示装置を含むことを特徴とする。
【０００７】
また、本発明に係るプログラムは、表示部を有するコンピュータを、複数の画像データを対象として、前記複数の画像データのうちの少なくとも１つの他の画像データとの差異が第１のしきい値未満の画像データを対象データとして決定する対象データ決定部と、前記表示部に対し、前記対象データに基づく各画像を連続的に表示させる制御を行う表示制御部として機能させることを特徴とする。
【０００８】
本発明によれば、表示装置等は、他の画像と比べて差異の少ない画像を対象データとして決定し、当該画像を連続的に表示することにより、連続表示に適した複数の画像を自動的かつ連続的に表示することができる。
【０００９】
また、前記表示部は、前記対象データに基づく各画像の表示間隔を、前記複数の画像データのうちの前記対象データ以外の画像データに基づく各画像の表示間隔と比較して相対的に短縮して前記対象データに基づく各画像および前記対象データ以外の画像データに基づく各画像を連続的に表示してもよい。
【００１０】
これによれば、表示装置等は、連続表示に適した複数の画像を自動的かつ連続的に表示することができる上、当該画像以外の画像もいわゆるスライドショー形式で表示することができる。
【００１１】
また、前記対象データ決定部は、前記差異が第２のしきい値（ただし、第２のしきい値は前記第１のしきい値未満）未満である場合、当該画像データを前記対象データとして決定しなくてもよい。
【００１２】
これによれば、表示装置等は、差異が少なすぎる画像を排除することにより、ある程度差異のある画像を自動的かつ連続的に表示することができる。
【００１３】
また、前記複数の画像データは撮像データであってもよい。
【００１４】
これによれば、表示装置等は、例えば、デジタルカメラの連続撮像機能によって撮像された撮像データ等を自動的かつ連続的に表示することができる。
【００１５】
また、前記複数の画像データは、撮像順序を示す撮像順序データを含み、前記対象データ決定部は、前記撮像順序データに基づき、前記対象データの表示順序を決定し、前記表示部は、前記対象データ決定部によって決定された表示順序に応じて各画像を連続的に表示してもよい。
【００１６】
これによれば、表示装置等は、撮像順序に応じた表示順序に応じて各画像を連続的に表示することにより、適切な順序で複数の画像を自動的かつ連続的に表示することができる。
【００１７】
また、前記対象データ決定部は、前記撮像順序データに基づき、前記複数の画像データのうちの前記撮像順序が前後の関係にある２つの画像データの差異を判定することにより、前記対象データを決定してもよい。
【００１８】
これによれば、表示装置等は、撮像順序が前後の関係にある２つの画像データの差異を判定することにより、より適切に差異を判定することができる。
【００１９】
また、前記複数の画像データは、撮像モードを示す撮像モードデータを含み、前記対象データ決定部は、前記撮像モードデータに基づき、前記撮像モードが同一の画像データを前記対象データとして決定してもよい。
【００２０】
これによれば、表示装置等は、撮像モードが同一の画像データを対象データとして決定することにより、ユーザが連続表示を意図して撮像した画像データを自動的かつ連続的に表示することができる。
【発明を実施するための最良の形態】
【００２１】
以下、本発明を、表示装置を有する電子機器に適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２２】
（第１の実施例）
図１は、第１の実施例におけるプリンタ１０の機能ブロック図である。電子機器の一種であるプリンタ１０は、印刷機能、スキャナ機能、コピー機能等を有する複合機であり、表示装置１００と、印刷部１６０を含んで構成されている。また、表示装置１００は、メモリカード２０から撮像データ１３２を入力する入力部１１０と、撮像データ１３２、決定データ１３３等を記憶する記憶部１３０と、対象データ決定部１４０と、表示部１５０と、印刷部１６０を含んで構成されている。
【００２３】
また、対象データ決定部１４０は、複数の画像データで構成される撮像データ１３２から対象データ１３４と対象外データ１３５を決定データ１３３として決定する機能を有する。なお、ここで、対象データ１３４は、例えば、連続表示に適した画像データであり、対象外データ１３５は、例えば、連続表示には適さないが、他の画像と比べてある程度の相違を有する画像データである。
【００２４】
また、これらの各部は、例えば、以下のハードウェアを用いてプリンタ１０に実装されてもよい。例えば、入力部１１０としてはカードインターフェイス等、操作部１２０としてはボタン、タッチパネル等、記憶部１３０としてはＲＡＭ、ＨＤＤ等、対象データ決定部１４０としてはＣＰＵ等、表示部１５０としては画像処理回路、液晶パネル等、印刷部１６０としては印字ヘッド、給紙ローラ等が採用されてもよい。
【００２５】
また、表示装置１００は、対象データ決定部１４０等の機能を情報記憶媒体３０からプログラムを読み取って実装してもよい。このような情報記憶媒体３０としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２６】
次に、これらの各部を用いた対象データ１３４および対象外データ１３５の生成手順について説明する。図２は、第１の実施例におけるデータ生成手順を示すフローチャートである。
【００２７】
例えば、メモリカード２０がプリンタ１０に接続された場合、あるいは、ユーザによる操作部１２０を用いたデータ読み取り指示操作があった場合、入力部１１０は、メモリカード２０から撮像データ１３２を入力して記憶部１３０に記憶する（ステップＳ１）。なお、撮像データ１３２は、例えば、デジタルカメラの連続撮像機能によって撮像された複数の画像データ、ユーザが連続的に表示することを意図して撮像した複数の画像データ等を含んでもよい。
【００２８】
例えば、新たな撮像データ１３２が記憶部１３０に記憶された場合、あるいは、ユーザによる操作部１２０を用いた決定データ１３３の生成指示操作またはスライドショー形式の画像表示指示操作があった場合、対象データ決定部１４０は、以下の処理を実行する。まず、対象データ決定部１４０は、撮像データ１３２に含まれる各画像データ（画像ファイル）のファイル名に基づき、撮像順序を決定する（ステップＳ２）。なお、一般的に撮像データ１３２に含まれる画像データのファイル名は、例えば、「DSCF0001」、「DSCF0002」のように撮像順序に応じて連続的に番号が付与される。
【００２９】
また、対象データ決定部１４０は、撮像順序が前後の画像データの画像信号値（例えば、輝度値、ＲＧＢ値等）の差分値を演算する（ステップＳ３）。具体的には、例えば、ファイル名が「DSCF0001」の画像データが対象の場合、当該画像データの画像信号値とファイル名が「DSCF0002」の画像データの画像信号値の差分値を画素ごとに演算し、当該差分値の全画素分の合計値を演算し、当該合計値を全画素数で割ることによって最終的な差分値を演算する。
【００３０】
また、対象データ決定部１４０は、当該最終的な差分値が第１のしきい値Ｖ１未満かどうかを判定する（ステップＳ４）。また、対象データ決定部１４０は、当該最終的な差分値が第１のしきい値Ｖ１未満の場合、当該差分値が第２のしきい値Ｖ２未満かどうかを判定する（ステップＳ６）。
【００３１】
なお、第１のしきい値Ｖ１は、例えば、画像が連続的であることを示す基準値であり、第２のしきい値Ｖ２は、例えば、画像がほぼ同じであることを示す基準値である。これらのしきい値は、適用される画像信号値や画像処理回路等によって変化するため、実験等によって適宜適切な値が採用されてもよい。
【００３２】
また、最終的な差分値が第１のしきい値Ｖ１以上の場合、すなわち、差が大きい場合、対象データ決定部１４０は、対象の画像データを対象外データ１３５に追加する（ステップＳ５）。また、最終的な差分値が第１のしきい値Ｖ１未満であって、かつ、第２のしきい値Ｖ２以上である場合、すなわち、連続的な画像であるが後の画像と同一ではない場合、対象データ決定部１４０は、対象の画像データを対象データ１３４に追加する（ステップＳ７）。
【００３３】
なお、最終的な差分値が第２のしきい値Ｖ２未満の場合、すなわち、後の画像とほぼ同一である場合、対象データ決定部１４０は、対象の画像データの決定データ１３３（対象データ１３４および対象外データ１３５）への追加は行わない。これにより、後の画像とほぼ同一の画像データはスライドショー形式の表示対象から除外される。
【００３４】
また、対象データ決定部１４０は、撮像データ１３２の全画像データに対する差異の判定が終了したかどうかを判定し（ステップＳ８）、終了していない場合はステップＳ２〜Ｓ８の処理を繰り返し実行する。
【００３５】
以上の手順により、対象データ１３４と対象外データ１３５が記憶部１３０に生成される。ここで、対象データ１３４と対象外データ１３５についてより詳細に説明する。図３は、第１の実施例における対象データ１３４の一例を示す図である。また、図４は、第１の実施例における対象外データ１３５の一例を示す図である。
【００３６】
対象データ１３４の項目としては、例えば、一連の画像ごとにグループ分けするための「グループ名」、画像データの名称を示す「ファイル名」、撮像データ１３２内の実際のデータの所在を示す「リンク」、「表示順序」等が該当する。また、対象外データ１３５の項目としては、例えば、画像データの名称を示す「ファイル名」、撮像データ１３２内の実際のデータの所在を示す「リンク」、「表示順序」等が該当する。
【００３７】
図３に示す例では、「DSCF0002」〜「DSCF0009」の画像データは「GY000001」として同一のグループに所属し、「DSCF0013」、「DSCF0014」、「DSCF0016」、「DSCF0018」、「DSCF0020」の画像データは「GY000002」として同一のグループに所属する。また、図４に示す例では、「DSCF0001」、「DSCF0010」、「DSCF0011」、「DSCF0012」、「DSCF0021」等の画像データが対象外データ１３５として決定されている。なお、図３および図４に示す例では、「DSCF0015」、「DSCF0017」、「DSCF0019」の画像データはスライドショー形式の表示対象から除外されている。
【００３８】
具体的には、例えば、対象データ決定部１４０は、対象外データ１３５への追加を行う際に、対象外データ１３５に新しいレコードとして、対象の画像データのファイル名、実際の画像データへのリンク、表示順序を追加する。なお、対象外データ１３５は、例えば、表示順序用のカウンタを用いて対象データ１３４または対象外データ１３５にレコードを追加する度に当該カウンタを１つずつ増加させることによって表示順序を適切に把握することができる。
【００３９】
また、対象データ決定部１４０は、対象データ１３４への追加を行う際に、対象データ１３４に新しいレコードとして、対象の画像データのファイル名、実際の画像データへのリンク、表示順序を追加する。
【００４０】
また、この場合、対象データ決定部１４０は、連続する画像をグループ分けしてもよい。すなわち、「グループ名」は必須ではない。グループ分けする場合は対象データ１３４に「グループ名」を設け、対象データ決定部１４０は、対象外データ１３５の更新（ステップＳ５）後に対象外フラグをオンにし、対象データ１３４の更新（ステップＳ７）後に対象外フラグをオフにし、対象外フラグがオフの状態で対象データ１３４を更新する際に対象の画像データを対象データ１３４に前回登録した画像データと同一のグループとして「グループ名」を更新してもよい。
【００４１】
次に、対象データ１３４と対象外データ１３５を用いたスライドショー形式の画像表示手順について説明する。図５は、第１の実施例におけるスライドショー形式の画像表示手順を示すフローチャートである。
【００４２】
新たな決定データ１３３が記憶部１３０に記憶された場合、あるいは、ユーザによる操作部１２０を用いたスライドショー形式の画像表示指示操作があった場合、表示部１５０は、以下の処理を実行する。
【００４３】
まず、表示部１５０は、対象データ１３４および対象外データ１３５の「表示順序」に応じて画像データを選択し（ステップＳ１１）、当該画像データに基づき、現在設定されている表示間隔（前回の画像を表示した時点からの経過時間）で画像を表示する（ステップＳ１２）。
【００４４】
表示部１５０は、選択した画像データが対象データ１３４であるかどうかを判定する（ステップＳ１３）。選択した画像データが対象データ１３４である場合、表示部１５０は、次の画像を表示するまでの表示間隔を０．５秒に設定する（ステップＳ１４）。
【００４５】
一方、選択した画像データが対象データ１３４ではない場合、すなわち、対象外データ１３５である場合、表示部１５０は、次の画像を表示するまでの表示間隔を２秒に設定する（ステップＳ１５）。
【００４６】
表示間隔の設定後、表示部１５０は、例えば、対象データ１３４および対象外データ１３５の「表示順序」を参照して次の表示順序に該当するレコードがあるかどうかを判定することにより、全データの処理が終了したかどうかを判定する（ステップＳ１６）。表示部１５０は、全データの処理が終了したと判定した場合、処理を終了し、全データの処理が終了していない場合、ステップＳ１１〜Ｓ１６の処理を繰り返し実行する。
【００４７】
例えば、図３および図４に示す例において、「DSCF0001」〜「DSCF0021」の画像データがスライドショー形式で表示される場合は以下のように表示される。まず、「DSC F0001」は対象外データ１３５であり、表示間隔は２秒に設定されるため、「DSCF0001」の画像が表示されてから２秒後に「DSCF0002」の画像が表示される。また、例えば、「DSCF0002」の画像データの場合、「DSCF0002」は対象データ１３４であり、表示間隔は０．５秒に設定されるため、「DSCF0002」の画像が表示されてから０．５秒後に「DSCF0003」の画像が表示される。
【００４８】
以下、「DSCF0002」の画像が表示されてから「DSCF0010」の画像が表示されるまでは０．５秒間隔で画像が素早く切り替わって表示される。また、「DSCF0010」の画像が表示されてから「DSCF0013」の画像が表示されるまでは２秒間隔で画像がゆっくり切り替わって表示される。また、「DSCF0013」の画像が表示されてから「DSCF0021」の画像が表示されるまでは０．５秒間隔で画像が素早く切り替わって表示される。
【００４９】
以上のように、本実施例によれば、プリンタ１０（表示装置１００）は、他の画像と比べて差異の少ない画像を対象データ１３４として決定し、対象データ１３４に基づく画像を連続的に表示することにより、連続表示に適した複数の画像（例えば、デジタルカメラの連続撮像機能によって撮像された撮像画像等）を自動的かつ連続的に表示することができる。これにより、表示装置１００は、連続的に撮像されたゴルフスイングの画像データ等をユーザが選択を行うことなく自動的かつ連続的に表示することができ、動画像のように表示することができる。
【００５０】
また、本実施例によれば、プリンタ１０は、各画像データの画像を比較して対象データ１３４かどうかを決定することにより、撮像時刻等のデータのない画像データであっても連続的かつ自動的に画像を表示することができる。その上、本実施例によれば、プリンタ１０は、作成日時が異なる複数の画像データを用いる場合であっても、連続的かつ自動的に画像を表示することができる。
【００５１】
また、本実施例によれば、プリンタ１０は、対象外データ１３５に基づく画像もいわゆるスライドショー形式で表示することができる。また、本実施例によれば、表示装置１００は、第２のしきい値を用いて差異が少なすぎる画像を排除することにより、ある程度差異のある画像を自動的かつ連続的に表示することができる。
【００５２】
また、本実施例によれば、プリンタ１０は、撮像順序（例えば、画像ファイル名等）に応じた表示順序に応じて各画像を連続的に表示することにより、適切な順序で複数の画像を自動的かつ連続的に表示することができる。また、本実施例によれば、表示装置１００は、撮像順序が前後の関係にある２つの画像データの差異を判定することにより、より適切に差異を判定することができる。
【００５３】
（第２の実施例）
次に、表示装置をフォトビューワに実装し、決定データ１３３（対象データ１３４および対象外データ１３５）を記憶せずに画像を連続的に表示する実施例について説明する。
【００５４】
図６は、第２の実施例におけるフォトビューワ１１の機能ブロック図である。フォトビューワ１１は、メモリカード２０から撮像データ１３２を入力する入力部１１１と、撮像データ１３２等を記憶する記憶部１３１と、対象データ決定部１４１と、表示部１５１を含んで構成されている。また、フォトビューワ１１は、情報記憶媒体３１からプログラムを読み取って対象データ決定部１４１等の機能をフォトビューワ１１に実装してもよい。なお、フォトビューワ１１および情報記憶媒体３１のハードウェア構成は第１の実施例と同様であるため、説明を省略する。
【００５５】
次に、これらの各部を用いたスライドショー形式の画像表示手順について説明する。図７は、第２の実施例におけるスライドショー形式の画像表示手順を示すフローチャートである。
【００５６】
例えば、メモリカード２０がフォトビューワ１１に接続された場合、あるいは、ユーザによる操作部１２０を用いたデータ読み取り指示操作があった場合、入力部１１１は、メモリカード２０から撮像データ１３２を入力して記憶部１３１に記憶する（ステップＳ２１）。
【００５７】
例えば、新たな撮像データ１３２が記憶部１３１に記憶された場合、あるいは、ユーザによる操作部１２０を用いたスライドショー形式の画像表示指示操作があった場合、対象データ決定部１４１等は、以下の処理を実行する。まず、対象データ決定部１４１は、撮像データ１３２に含まれる各画像データ（画像ファイル）のファイル名に基づき、撮像順序を決定する（ステップＳ２２）。
【００５８】
また、対象データ決定部１４１は、撮像順序が前後の画像データの画像信号値（例えば、輝度値、ＲＧＢ値等）の差分値（例えば、画素ごとの差分値の平均値等）を演算する（ステップＳ２３）。
【００５９】
また、対象データ決定部１４１は、当該差分値が第１のしきい値Ｖ１未満かどうかを判定する（ステップＳ２４）。また、対象データ決定部１４０は、当該差分値が第１のしきい値Ｖ１未満の場合、当該差分値が第２のしきい値Ｖ２未満かどうかを判定する（ステップＳ２７）。
【００６０】
また、当該差分値が第１のしきい値Ｖ１以上の場合、すなわち、差が大きい場合、表示部１５１は、対象データ決定部１４１によって選択された画像データに基づき、現在の表示間隔で画像を表示する（ステップＳ２５）。また、この場合、対象データ決定部１４１は、次の画像を表示するまでの表示間隔を３秒に設定する（ステップＳ２６）。
【００６１】
また、当該差分値が第１のしきい値Ｖ１未満であって、かつ、第２のしきい値Ｖ２以上である場合、すなわち、連続的な画像であるが後の画像と同一ではない場合、表示部１５１は、対象データ決定部１４１によって選択された画像データに基づき、現在の表示間隔で画像を表示する（ステップＳ２８）。また、この場合、対象データ決定部１４１は、次の画像を表示するまでの表示間隔を０．２秒に設定する（ステップＳ２９）。
【００６２】
なお、当該差分値が第２のしきい値Ｖ２未満の場合、すなわち、後の画像とほぼ同一である場合、対象の画像データに基づく画像の表示は行われない。
【００６３】
また、対象データ決定部１４１は、撮像データ１３２の全画像データに対する差異の判定が終了したかどうかを判定し（ステップＳ３０）、終了していない場合、対象データ決定部１４１および表示部１５１は、ステップＳ２２〜Ｓ３０の処理を繰り返し実行する。
【００６４】
以上のように、本実施例によっても、フォトビューワ１１（表示装置１０１）は、第１の実施例と同様の作用効果を奏する。また、本実施例によれば、決定データ１３３を記憶しないことにより、記憶部１３１の必要な記憶容量を低減できる。
【００６５】
（その他の実施例）
なお、本発明の適用は上述した実施例に限定されず、種々の変形が可能である。例えば、各画像データに撮像モードを示す撮像モードデータが含まれる場合、対象データ決定部１４０、１４１は、当該撮像モードデータに基づき、撮像モードが同一の画像データを対象データとして決定してもよい。
【００６６】
これによれば、表示装置１００等は、撮像モードが同一の画像データを対象データとして決定することにより、ユーザが連続表示を意図して撮像した画像データを自動的かつ連続的に表示することができる。
【００６７】
より具体的には、例えば、ユーザが、デジタルカメラを用いてオートモードでパレードを撮像して画像データ「DSCF0001」〜「DSCF0004」を作成し、パレードが一時的に停止した際にポートレートモードで近くの人物を撮像して画像データ「DSCF0005」〜「DSCF0007」を作成し、パレードが再開された際にオートモードでパレードを撮像して画像データ「DSCF0008」〜「DSCF0012」を作成した場合、ユーザは、フォトビューワ１１で各画像データを表示する際に画像データ「DSCF0001」〜「DSCF0004」および「DSCF0008」〜「DSCF0012」を、間に画像データ「DSCF0005」〜「DSCF0007」に基づく画像を表示することなく、一連の動画像として連続的に表示することができる。
【００６８】
また、表示装置１００、１０１は、対象データとして決定した画像、すなわち、差分値が第１のしきい値未満かつ第２のしきい値以上の画像のみを連続的に表示してもよい。
【００６９】
また、スライドショー形式で画像を表示するための画像データは、撮像データ１３２には限定されず、例えば、スキャナーによって読み込まれた画像データ、コンピュータによって生成された画像データ等であってもよい。
【００７０】
また、第１の実施例において、印刷部１６０は、対象データ１３４に基づく画像を順番に並べて印刷してもよい。これによれば、プリンタ１０は、スライドショー形式で表示する場合と同様の形式で画像を用紙等に印刷して出力することができる。
【００７１】
また、第１の実施例のように対象データ１３４をグループ分けすることにより、ユーザにグループを選択させ、表示部１５０は、操作部１２０からの操作情報に基づいて選択されたグループを判定して当該グループの画像データに基づく画像を連続的に表示してもよい。
【００７２】
また、各画像を表示する時間間隔は上述した実施例には限定されない。例えば、対象データ１３４に基づく各画像の表示間隔および対象外データ１３５に基づく各画像の少なくとも一方をユーザに任意に決定させてもよい。例えば、第１の実施例の場合、対象データ決定部１４０は、操作部１２０からの操作情報に基づいてユーザによる表示間隔の設定値を判定して当該表示間隔で対象データ１３４または対象外データ１３５の表示間隔を設定してもよい。また、例えば、第２の実施例の場合、表示部１５１は、操作部１２１からの操作情報に基づいてユーザによる表示間隔の設定値を判定して当該表示間隔で対象データ１３４または対象外データ１３５に基づく画像を表示してもよい。
【００７３】
また、表示間隔の調整は必須ではない。また、第２のしきい値の判定も必須ではない。例えば、対象データ決定部１４０、１４１は、第１のしきい値未満の画像データを対象データとして決定し、表示部１５０、１５１は、当該対象データに基づく画像のみを連続的に表示してもよい。
【００７４】
また、表示装置１００、１０１を実装可能な電子機器は、プリンタ１０、フォトビューワ１１には限定されず、例えば、プロジェクタ、ＰＣ、携帯電話、テレビ、デジタルカメラ、デジタルビデオカメラ等であってもよい。また、表示装置１００、１０１の機能を複数の装置（例えば、ＰＣとプロジェクタ等）に分散して実装してもよい。
【図面の簡単な説明】
【００７５】
【図１】第１の実施例におけるプリンタの機能ブロック図である。
【図２】第１の実施例におけるデータ生成手順を示すフローチャートである。
【図３】第１の実施例における対象データの一例を示す図である。
【図４】第１の実施例における対象外データの一例を示す図である。
【図５】第１の実施例におけるスライドショー形式の画像表示手順を示すフローチャートである。
【図６】第２の実施例におけるフォトビューワの機能ブロック図である。
【図７】第２の実施例におけるスライドショー形式の画像表示手順を示すフローチャートである。
【符号の説明】
【００７６】
１０  プリンタ（電子機器）、１１  フォトビューワ（電子機器）、２０  メモリカード、３０、３１  情報記憶媒体、１００、１０１  表示装置、１１０、１１１  入力部、１２０、１２１  操作部、１３０、１３１  記憶部、１３２  撮像データ（画像データ）、１３３  決定データ、１３４  対象データ、１３５  対象外データ、１４０、１４１  対象データ決定部、１５０、１５１  表示部、１６０  印刷部
【図１】
2009188494.tif 000003
【図２】
2009188494.tif 000004
【図３】
2009188494.tif 000005
【図４】
2009188494.tif 000006
【図５】
2009188494.tif 000007
【図６】
2009188494.tif 000008
【図７】
2009188494.tif 000009